(57)【要約】【課題】本発明は、炭を植木鉢台に収納することにより、臭い及び化学物質を吸着するとともに、使い勝手に優れた植木鉢台の提供を目的とする。【解決手段】植木鉢台１は、台本体２と、この台本体２の内部空間に形成した、具体的には、上板２０ａ，底板２０ｂ，前板２０ｃ，後板２０ｄ及び対向する一対の側板２０ｅと、通気性カバー５で囲まれた炭収納部３に、炭４を収納した構成としてあり、通気可能な状態で収納された炭４が臭いや化学物質を吸着する。【選択図】      図１
2004166645.tif 000002
【特許請求の範囲】
【請求項１】
植木鉢を載置又は収納する植木鉢台であって、
通気窓を設けた台本体と、
この台本体の内部空間に形成した炭収納部と、
この炭収納部に収納可能な形状の炭を、
具備したことを特徴とする植木鉢台。
【請求項２】
前記通気窓に、通気性カバーを設けた請求項１記載の植木鉢台。
【請求項３】
前記炭が、前記炭収納部の空間と対応する形状に成形したものである請求項１又は２記載の植木鉢台。
【請求項４】
前記炭が、分割可能に成形したものである請求項３に記載の植木鉢台。
【請求項５】
前記炭に通気孔を設けた請求項３又は４記載の植木鉢台。
【請求項６】
前記炭が粉炭であり、この粉炭を柔軟性及び通気性を有する袋に詰め込むとともに、この袋詰した炭を前記炭収納部の空間と対応する形状に変形したものである請求項１又は２に記載の植木鉢台。
【請求項７】
前記袋を複数設けた請求項６記載の植木鉢台。
【発明の詳細な説明】
【０００１】
【発明の属する技術分野】
本発明は、植木鉢台に関し、特に、内部空間に収納した炭を用いて空気中の有害物質や臭いを吸着する植木鉢台に関する。
【０００２】
【従来の技術】
炭は、燃料として使用される他に様々な利用方法があり、たとえば、水質浄化や土壌改良、消臭、調湿などの目的に使用されてきた。
【０００３】
特に、炭は多孔質であり、単位体積当りの表面積が広いため、臭いの粒子を吸着する特性に優れている。また、炭は、その優れた吸着力により、空気中の化学物質、すなわち、最近問題となっている建築材から放出される有害な化学物質をも吸着することができる。
このため、炭は、化学物質に対する過敏症対策としても注目されるようになってきた。
なお、炭の吸着力を活用する室内用容器等に関しては、研究・開発が行われていなかった。
【０００４】
【発明が解決しようとする課題】
しかしながら、炭は、上述したように優れた吸着力を有しているにもかかわらず、粉末が飛散しやすい、取扱い時に手が汚れるなど使い勝手が悪いといった問題があった。
特に、炭を室内で使用する場合には、炭のかけらや粉末が飛散しないようにする必要があった。
さらに、吸着力の低下した炭を交換する際、炭を散らかすことなく簡単に交換したいといった要望があった。
【０００５】
本発明者は、優れた吸着力を有する炭を一般家庭や店舗などで利用できるように、炭を植木鉢台に収納するとともに、炭の粉末が飛散しないように飛散防止対策を施し、さらには、吸着力の低下した使用済みの炭を容易に交換可能な植木鉢台を開発したものである。
【０００６】
本発明は、上述した従来の技術が有する問題を解決するために提案されたものであり、炭を植木鉢台に収納することにより、臭い及び化学物質を吸着するとともに、使い勝手に優れた植木鉢台の提供を目的とする。
【０００７】
【課題を解決するための手段】
上記目的を達成するため本発明の植木鉢台は、植木鉢を載置又は収納する植木鉢台であって、通気窓を設けた台本体と、この台本体の内部空間に形成した炭収納部と、この炭収納部に収納可能な形状の炭を、具備した構成としてある。
このようにすると、通気可能な状態で植木鉢台に収納された炭が、臭いや化学物質を吸着することができる。また、炭の置き場所を特別に確保しなくてもよく、スペースを有効利用することができる。さらに、鑑賞用の植物が植えてある植木鉢の台が空気を清浄化するので、利用者により好ましい印象を与えることができる。
【０００８】
また、本発明の植木鉢台は、前記通気窓に、通気性カバーを設けた構成としてあり、このようにすると、炭の粉末などが植木鉢台から室内に飛散するのを効果的に防止することができる。
【０００９】
また、本発明の植木鉢台は、前記炭を前記炭収納部の空間と対応する形状に成形した構成としてあり、このようにすると、炭収納部に成形された炭（適宜、成形炭と略称する。）を効率良く収納することができるとともに、炭を容易に交換することができる。
【００１０】
また、本発明の植木鉢台は、前記炭を分割可能に成形した構成としてあり、このようにすると、成形炭をコンパクトに荷造りすることができたり、成形炭の置き場所を省スペース化することができる。また、複雑な形状の成形炭を一体成形するよりは、分割することにより容易に製造することもでき、製造費のコストダウンを図ることができる。
さらに、本発明の植木鉢台は、前記炭に通気孔を設けた構成としてあり、このようにすると、炭の表面積を大きくして吸着性能を向上させることができる。
【００１１】
また、本発明の植木鉢台は、前記炭が粉炭であり、この粉炭を柔軟性及び通気性を有する袋に詰め込むとともに、この袋詰した炭を前記炭収納部の空間と対応する形状に変形した構成としてある。
このようにすると、粉炭を炭収納部に効率良く収納することができるとともに、容易に交換することもできる。また、袋の形状を変形して、容易に炭収納部の空間と対応した形状とすることができ、一つの袋で、種々形状の空間を有する容器に対応させることができる。
【００１２】
また、本発明の植木鉢台は、前記袋を複数設けた構成としてあり、このようにすると、袋が大きくなり過ぎるといった不具合を防止し、取扱いが容易になる。
【００１３】
【発明の実施の形態】
次に、本発明の植木鉢台の好ましい実施形態について、図面を参照して説明する。
【００１４】
［第一実施形態］
図１は、第一実施形態にかかる植木鉢台の要部の構造を説明するための、概略断面図を示している。
同図において、植木鉢台１は、通気窓２１の設けられた箱状の台本体２と、この台本体２の内部空間に形成した炭収納部３と、この炭収納部３に収納された炭４とからなっている。
【００１５】
台本体２は、上板２０ａ，底板２０ｂ，前板２０ｃ，後板２０ｄ及び対向する一対の側板２０ｅとからなる直方体としてある。
上板２０ａは、後方に植木鉢８が載置され、前方には、植木鉢８を収納する収納孔２０ｆが穿設され、この収納孔２０ｆの縁部に植木鉢８が係止された状態で収納されている。
なお、本実施形態の植木鉢台１は、植木鉢８を載置及び収納する構成としてあるが、載置又は収納のいずれか一つを行う構成としてもよい。
【００１６】
前板２０ｃと後板２０ｄの中央部には、矩形状の通気窓２１が形成されており、通気窓２１は、内側から和紙や布などの通気性を有する通気性カバー５により覆われている。
通気性カバー５は、通気性を有するカバーであればよく、和紙や布などに限定されるものではなく、たとえば、スポンジ，網，パンチングメタルなど、及びこれらの積層体でもよい。
なお、本実施形態では、通気性カバー５を前板２０ｃと後板２０ｄに設けてあるが、これに限定されるものではなく、たとえば、側板２０ｅや上板２０ａに設けてもよい。
【００１７】
上記構成の植木鉢台１は、室内における空気の対流により、空気の流れが発生すると、収納された炭４が風と接することとなり、空気中の臭いや化学物質を吸着する。すなわち、無臭で、かつ、建築材などから放出された化学物質の除去された空気が、通気窓２１を通って放出される。
また、植木鉢台１は、通気窓２１を和紙などの通気性カバー５で目張りしてあるので、通気窓２１から炭４の粉末などが飛散するのを防止することができる。
【００１８】
このように、本実施形態の植木鉢台１は、炭収納部３に通気性が確保された状態で炭４を収納することにより、外部から風を吸い込み、臭いや化学物質を吸着し浄化された空気を外部に放出することができる。
また、植木鉢台１は、炭収納部３に炭４を収納することができるので、炭４の置き場所を特別に確保しなくてもよく、スペースを有効利用することができる。さらに、炭４としてチップ状の炭を使用しており、このようにすると、廃材などから製造した炭を有効利用することができ、炭のコストダウンを図ることができる。
【００１９】
なお、炭４としては、上記構成に限定されるものではなく、通常の木炭や竹炭あるいは成形炭を利用することができる。また、炭４の製造方法及び炭の形状・量なども特に限定されるものではない。
さらに、台本体２の形状は上記形状に限定されるものではなく、たとえば、円柱状の台であってもよい。
【００２０】
［第二実施形態］
図２は、第二実施形態にかかる植木鉢台の要部の構造を説明するための、概略図であり、（ａ）は斜視図を、（ｂ）はＡ−Ａ線における断面図を示している。同図において、植木鉢台１ａは、台本体２ａの内部空間に形成された炭収納部３ａに成形炭４ａを収納した構成としてある。
なお、成形炭４ａは、粉状にした炭に澱粉などのバインダを添加し、型に入れて加圧成形することにより、炭収納部３ａの空間と対応する形状に成形してある。
【００２１】
台本体２ａは、直方体の各辺の位置に配設された木製の枠部材２２と、枠部材２２の上部に着脱自在に取り付けられ、植木鉢８を収納する収納孔２３ａが穿設された上板２３と、この収納孔２３ａの下方に設けられ、植木鉢８を収納する空間２６を有し、かつ、成形炭４ａを遮蔽する逆截頭円錐状の内部カバー２４と、底板２５とからなっている。
【００２２】
また、台本体２ａは、各側面から見ると、矩形状の枠部材２２の内側に大きな通気窓２１ａが形成されており、通気性と炭の粉末の飛散を防止する飛散防止性を有する和紙などからなる通気性カバー５ａで、上記通気窓２１ａを覆った構成としてある。
【００２３】
また、上記成形炭４ａは、内部カバー２４，上板２３，底板２５，枠部材２２及び通気性カバー５ａで囲まれた炭収納部３ａに収納され、成形炭４ａの粉末が外部に飛散しない構成としてある。なお、成形炭４ａを用いることにより、炭の粉末が飛散する危険性は、チップ状の炭を直に収納する場合より低減されているが、飛散防止性を有する通気性カバー５ａを使用することにより、炭の粉末が植木鉢台１ａから外部に飛散する危険性をより低減することができる。
【００２４】
さらに、成形炭４ａは、所定の形状に成形されているので取り扱いやすく、たとえば、吸着力の低下した成形炭４ａは、上板２３及び内部カバー２４を取り外すことにより、枠部材２２から容易に取り外すことができる。
【００２５】
このように、本実施形態の植木鉢台１ａは、第一実施形態の植木鉢台１と同様の作用効果を発揮するとともに、成形炭４ａ及び飛散防止性を有する通気性カバー５ａを用いることにより、炭のかけらや粉末が室内に飛散することを確実に防止することができる。
また、建築材から放出される化学物質を吸着することを主な目的としている、過敏症の利用者に対しては、石油化合物でない木材や和紙を使用することにより、より大きな安心感を与えることができる。
【００２６】
さらに、植木鉢台１ａは、燃料用炭を生産する過程で排出されるチップ状の炭や粉状の炭、及び廃材などから製造した炭を有効利用することができ、炭のコストダウンを図ることができる。
なお、内部カバー２４を設けない構成としてもよく、その分コストダウンを図ることができる。
【００２７】
［第三実施形態］
図３は、第三実施形態にかかる植木鉢台の要部の構造を説明するための、概略図であり、（ａ）は断面図を、（ｂ）は成形炭の斜視図を、（ｃ）は成形炭の応用例の斜視図を示している。
同図において、植木鉢台１ｂは、台本体２ｂの内部空間に形成された炭収納部３ｂに、炭収納部３ｂと対応する形状に成形した成形炭４ｂを収納した構成としてある。
【００２８】
台本体２ｂは、側壁２０ｇと底板２０ｈとからなる立方体状の箱２２ｂと、箱２２ｂの側壁２０ｇの上端部に係止される上板２３ｂとからなっている。
箱２２ｂは、側壁２０ｇに複数の通気窓２１ｂが形成された一体成形品である。また、上板２３ｂは、植木鉢８が収納される逆截頭円錐状の内部カバー２４ａが一体成形された構成としてある。
なお、箱２２ｂと上板２３ｂの材料は、通常、樹脂が使用されるが、これに限定されるものではなく、たとえば、金属や陶器などを使用してもよい。
【００２９】
成形炭４ｂは、炭収納部３ｂの空間と対応する形状に成形してある。すなわち、同図（ｂ）に示すように、上面から内部カバー２４ａが収納される貫通孔４６が設けられた、炭収納部３ｂに収納される立方体であり、各側面には通気性を向上させるための通気孔４７が複数配設された構造としてある。これにより、成形炭４ｂの吸着性能を高めることができる。
【００３０】
なお、成形炭４ｂの構造は、上記構造に限定されるものではなく、たとえば、同図（ｃ）に示すように、複数の成形炭４５に分割可能な構成としてもよい。
この成形炭４５は、複数の通気孔４７ａが形成された長方形平板としてあり、四つの成形炭４５を長方体の側面を形成するように配置すると、成形炭４ｂとほぼ同様の効果を発揮することができる。また、成形炭４５は、積み重ねることができるので、持ち運びや貯蔵する際に容積が小さくてすみ、容易に取り扱うことができる。
【００３１】
このように、本実施形態の植木鉢台１ｂは、第二実施形態の植木鉢台１ａと同様の作用効果を発揮するとともに、成形炭４ｂに複数の通気孔４７を設けることにより、成形炭４ｂの吸着性能を高めることができる。
また、成形炭４ｂの代わりに、分割された成形炭４５を用いることにより、成形炭４５の取扱いを容易にすることができる。
なお、成形炭４ｂ，４５は、粉末状の炭が飛散しないので、通気性カバーを設ける必要がなく製造原価のコストダウンを図ることもできる。
【００３２】
［第四実施形態］
図４は、第四実施形態にかかる植木鉢台の要部の構造を説明するための、概略図であり、（ａ）は正面図を、（ｂ）は成形炭の斜視図を示している。
同図において、植木鉢台１ｃは、台本体２ｃの上板２３ｃに複数の植木鉢８を並べて載置できるように、上から見ると横方向に細長い直方体としてあり、内部の炭収納部３ｃに、成形炭４ｃを複数個収納した構成としてある。
【００３３】
植木鉢台１ｃの台本体２ｃは、上板２３ｃと、底板２５ｃと、前板２０ｃと、後板２０ｄと、対向する一対の側板２０ｅとからなっている。
前板２０ｃ及び後板２０ｄには、取り外し可能な格子部材２７が取り付けてある。この格子部材２７には、内側から通気性を有する和紙などの通気性カバー５ｃが貼り付けられている。
また、側板には、ステンレス製のパンチングメタル２８が、ねじ２８ａなどの取りつけ部材により、着脱自在に取り付けられている。
【００３４】
成形炭４ｃは、底板２５ｃ上に載置してある。
この成形炭４ｃは、同図（ｂ）に示すように直方体状であり、各面に複数の通気孔４７ｃが形成されている。
【００３５】
また、前板２０ｃ及び後板２０ｄには、上述した格子部材２７が取り付けられており、この格子部材２７を取り外すと、成形炭４ｃを容易に交換することができる。
さらに、側板２０ｅに着脱自在に固定されているパンチングメタル２８を取り外すことにより、側板２０ｅ側からも成形炭４ｃを交換することができる。
【００３６】
このように、本実施形態の植木鉢台１ｃは、ビルのロビーや喫茶店，レストランなどに置かれる大型の植木鉢台１ｃとしてあり、本発明はこのような植木鉢台１ｃに対しても適用でき、成形炭４ｃを台本体２ｃの内部に収納することにより、前記各実施形態と同様に、臭いや化学物質を吸着することができる。
【００３７】
［第五実施形態］
図５は、第五実施形態にかかる植木鉢台の要部の構造を説明するための、概略図であり、（ａ）は断面図を、（ｂ）は袋パックの斜視図を示している。
同図において、植木鉢台１ｄは、台本体２ａの内部空間に形成された炭収納部３ａに、粉炭パック４１を収納した構成としてある。
【００３８】
粉炭パック４１は、粉炭４ｄを詰めた矩形状の袋４２であり、この袋４２は、柔軟性及び通気性を有する材料からなっている。
粉炭パック４１は、袋４２が柔軟性を有することにより、炭収納部３ａの空間と対応する形状に変形した状態で炭収納部３ａに収納される。すなわち、袋４２には、粉炭４ｄが満杯に詰め込まれていないので、粉炭パック４１は、炭収納部３ａの空間と対応する形状に自在に変形することができる。
なお、袋４２の形状は、上記矩形に限定されるものではない。また、粉炭パック４１は、炭収納部３ａの容積とほぼ同じ容積の空間であれば、炭収納部３ａの空間と異なる形状の空間に対しても、対応する形状に変形することができ、粉炭パック４１の共用化を図ることができる。
【００３９】
また、袋４２が通気性を有することにより、炭パック４１は、詰められた粉炭４ｄが臭いや化学物質を吸着することができる。なお、袋４２は、粉炭４ｄを外部に飛散させない材料、例えば、和紙などの不織布を使用するとよく、このようにすると、粉炭４ｄが袋４２の外部に飛散し、室内が汚れるといった不具合を防止することができる。
なお、「粉炭」とは、粉状や細かいチップ状の炭をいう。
【００４０】
また、本実施形態の粉炭パック４１は、一つの袋４２が炭収納部３ａの空間と対応する形状に変形する構成としてあるが、これに限定されるものではない。
たとえば、図６に示す粉炭パック４１ａは、粉炭４ｄを詰めた正方形状の袋４２ａからなり、粉炭パック４１の代わりに、この粉炭パック４１ａを四個使用する構成としてもよい。このようにすることにより、粉炭パック４１ａの取扱いが容易になるとともに、植木鉢台１ｄが置かれる室内が狭いときは、例えば、一個の粉炭パック４１ａを使用してもよい。
【００４１】
このように、本実施形態の植木鉢台１ｄは、粉炭４ｄを炭収納部３ａに効率良く収納することができるとともに、容易に交換することもできる。また、粉炭パック４１の形状を変形して、容易に炭収納部３ａの空間と対応した形状とすることができ、一つの袋４２で、種々形状の空間を有する容器に対応させることもできる。
さらに、複数の粉炭パック４１ａを設けた構成としてもよく、このようにすると、袋４２ａが大きくなり過ぎるといった不具合を防止し、容易に取り扱うことができる。
【００４２】
以上、本発明の好適な実施形態について説明してきたが、本発明は上記の実施形態によりなんら限定されるものではなく、本発明の適用範囲内で種々に変更することが可能である。
たとえば、植木鉢台の代りに、図７に示すように、載置台２９が設けられ、側面に通気窓２１ｅが形成された植木鉢皿１ｅを用いて、植木鉢皿１ｅの炭収納部３ｅに、和紙製などの袋４２ｅに粉炭４ａを詰めた粉炭パック４１ｅを複数個収納した構成としてもよく、このようにすると、上記各実施形態のものと同様の効果を発揮することができる。
【００４３】
【発明の効果】
以上説明したように本発明の植木鉢台によれば、通気可能な状態で植木鉢台に収納された炭が、臭いや化学物質を吸着することができ、また、炭の置き場所を特別に確保しなくてもよく、スペースを有効利用することができる。さらに、鑑賞用の植物が植えてある植木鉢の台が空気を清浄化するので、利用者により好ましい印象を与えることができる。
【００４４】
また、本発明の植木鉢台によれは、粉炭を成形したり、柔軟性及び通気性を有する袋に収納して使用することにより、粉炭を有効利用することができるとともに、炭を収納部に容易に収納したり交換することができる。
【図面の簡単な説明】
【図１】図１は、第一実施形態にかかる植木鉢台の要部の構造を説明するための、概略断面図を示している。
【図２】図２は、第二実施形態にかかる植木鉢台の要部の構造を説明するための、概略図であり、（ａ）は斜視図を、（ｂ）はＡ−Ａ線における断面図を示している。
【図３】図３は、第三実施形態にかかる植木鉢台の要部の構造を説明するための、概略図であり、（ａ）は断面図を、（ｂ）は成形炭の斜視図を、（ｃ）は成形炭の応用例の斜視図を示している。
【図４】図４は、第四実施形態にかかる植木鉢台の要部の構造を説明するための、概略図であり、（ａ）は正面図を、（ｂ）は成形炭の斜視図を示している。
【図５】図５は、第五実施形態にかかる植木鉢台の要部の構造を説明するための、概略図であり、（ａ）は断面図を、（ｂ）は袋パックの斜視図を示している。
【図６】図６は、第五実施形態にかかる植木鉢台の袋パックの応用例の概略斜視図を示している。
【図７】図７は、本発明の応用例にかかる植木鉢皿の要部の構造を説明するための、概略図であり、（ａ）は正面図を、（ｂ）は成形炭の斜視図を示している。
【符号の説明】
１，１ａ，１ｂ，１ｃ，１ｄ  植木鉢台
１ｅ  植木鉢皿
２，２ａ，２ｂ，２ｃ  台本体
３，３ａ，３ｂ，３ｃ，３ｅ  炭収納部
４  炭
４ａ，４ｂ，４ｃ  成形炭
４ｄ  粉炭
５，５ａ，５ｃ  通気性カバー
８  植木鉢
２０ａ  上板
２０ｂ  底板
２０ｃ  前板
２０ｄ  後板
２０ｅ  側板
２０ｆ  収納孔
２０ｇ  側壁
２０ｈ  底板
２１，２１ａ，２１ｂ，２１ｅ  通気窓
２２  枠部材
２２ｂ  箱
２３，２３ｂ，２３ｃ  上板
２３ａ  収納孔
２３ｃ  上板
２４，２４ａ  内部カバー
２５，２５ｃ  底板
２６  空間
２７  格子部材
２８  パンチングメタル
２８ａ  ねじ
２９  載置台
４１，４１ａ，４１ｅ  粉炭パック
４２，４２ａ，４２ｅ  袋
４５  成形炭
４６  貫通孔
４７，４７ａ，４７ｃ  通気孔
【図１】
2004166645.tif 000003
【図２】
2004166645.tif 000004
【図３】
2004166645.tif 000005
【図４】
2004166645.tif 000006
【図５】
2004166645.tif 000007
【図６】
2004166645.tif 000008
【図７】
2004166645.tif 000009